(57)【要約】【課題】披搬送物の大きさ，形状が異なっても吸気部位の調整が容易にでき、披搬送物がコンベヤベルトに常に適切に吸着される真空コンベヤを提供する。【解決手段】真空チャンバ１と通気性コンベヤベルト５との間に複数枚のシャッタ板４を夫々幅方向にスライド可能に設け、該シャッタ板により前記真空チャンバに開設された吸気口２を開閉し得るようにした。シャッタ板４は両側縁に下方折曲部４ａ，４ｂを形成することで横断面コ字状に形成した。【選択図】図１
2005082318.tif 000002
【特許請求の範囲】
【請求項１】
真空チャンバと通気性コンベヤベルトとの間に複数枚のシャッタ板を夫々幅方向にスライド可能に設け、該シャッタ板により前記真空チャンバに開設された吸気口を開閉し得るようにしたことを特徴とする真空コンベヤ。
【請求項２】
シャッタ板は両側縁に下方折曲部を形成することで横断面コ字状に形成されたものであり、該シャッタ板を真空チャンバの上面に幅方向にスライド可能に載置した請求項１に記載の真空コンベヤ。
【発明の詳細な説明】
【技術分野】
【０００１】
本発明は、板紙，段ボール紙等のシート状物を搬送する真空コンベヤに関するものである。
【背景技術】
【０００２】
真空によってコンベヤベルトに吸着させることによりシート状の披搬送物を一枚ずつ確実に搬送可能とする真空コンベヤは、下記特許文献１乃至３等により知られている。
【特許文献１】特開平９−１５１０１０号公報
【特許文献２】特開２００１−４８３８５号公報
【特許文献３】特開平６−２２７６９１号公報
【発明の開示】
【発明が解決しようとする課題】
【０００３】
ところで従来の上記真空コンベヤは、披搬送物の大きさ，形状が常に一定であれば問題とはならないが、大きさ，形状の違う披搬送物を搬送しようとすると、真空吸着部位がその披搬送物の形状に合致せず、無用に外気が吸引されるところがあって真空チャンバ内の気圧が上昇するため、披搬送物をうまく吸着できなくなるという問題があった。
【課題を解決するための手段】
【０００４】
そのために本発明の真空コンベヤは、真空チャンバと通気性コンベヤベルトとの間に複数枚のシャッタ板を夫々幅方向にスライド可能に設け、該シャッタ板により前記真空チャンバに開設された吸気口を開閉し得るようにしたことを特徴とする。
【０００５】
また、本発明は上記真空コンベヤにおいて、シャッタ板は両側縁に下方折曲部を形成することで横断面コ字状に形成されたものであり、該シャッタ板を真空チャンバの上面に幅方向にスライド可能に載置したことを特徴とする。
【発明の効果】
【０００６】
披搬送物の大きさ，形状が異なっても必要な吸気部位の調整が容易にでき、披搬送物がコンベヤベルトに常に適切に吸着される真空コンベヤを提供する。
【実施例１】
【０００７】
図１は本発明に係る真空コンベヤの要部の分解斜視図を示し、１は真空ポンプ等の真空源に接続され内部の空気を吸引することにより減圧状態に保持される真空チャンバである。２は該真空チャンバの上面に長手方向に沿い定間隔で開設された長孔状の吸気口、３は該真空チャンバの上面で該各吸気口の間隔部位に横断状に固着された突提板である。また、４は両側縁に下方折曲部４ａ，４ｂを形成することで横断面コ字状に形成したシャッタ板で、該シャッタ板を真空チャンバ１の上面で各突提板３の間隔に幅方向にスライド可能に載置する。４ｃはシャッタ板４の中心線より少し幅方向にずれた位置に開設された長孔状の開口である。また、５は円形の通気口６を定間隔で開設してなる無端状の通気性コンベヤベルトである。
【０００８】
上記真空チャンバ１は、図２〜図４に示したように、幅広の披搬送物を搬送し得るように同形のものが適宜間隔を離して例えば３列に設けられ、該各真空チャンバ上に上記シャッタ板４が設けられる。なお、１ａは真空チャンバ１を真空源に接続しているホースを示す。そして、上記通気性コンベヤベルト５を端部ローラ７ａ，７ｂ、および、駆動ローラ８，テンションローラ９に夫々巻掛することにより、各シャッタ板４上を被うように張設する。
なお、１０は段ボール紙等のシート状の披搬送物、１１は該披搬送物が多数枚積み重ねられるようにコンベヤベルト５の上部空間に支持された囲いである。
【０００９】
このように構成した真空コンベヤでは、シャッタ板４を図４に示したように吸気口２に開口４ｃが合致するように位置させることにより、通気口６より真空チャンバ１内に外気が吸引され、披搬送物１０をコンベヤベルト５に吸着させることができる。そして、駆動ローラ８をモータ（図示省略）駆動することにより該コンベヤベルト５が矢印で示した方向に循回することから囲い１１内に積み重ねられた披搬送物１０を下側から１枚ずつ搬出できる。
【００１０】
また、シャッタ板４を図４に矢印で示したように幅方向にずらすことにより、多数の吸気口２のうち任意のものを該シャッタ板によって閉じることができる。このため、披搬送物の大きさ，形状に従い吸引を要しない部位の吸気口について該シャッタ板を操作することで外気の吸引が止められ、無用な外気の吸引を無くすことで真空チャンバ１内を常に必要な減圧状態に保つ。従って、披搬送物の大きさ，形状が異なっても、シャッタ板４により吸気口２を開閉させるだけで、吸気部位の調整が容易にでき、披搬送物がコンベヤベルトに適切に吸着され、常にスムースな搬送ができるようになる。
【００１１】
なお、前記突提板３はコンベヤベルト５の下面が常に平坦面により支持されるようにするとともに、シャッタ板４がコンベヤベルト５に連れて移動するのを防ぐ。また、吸気口２を閉じているときのシャッタ板４は、該吸気口によって真空チャンバ１の上面に真空吸着されることから、ずれない。また、シャッタ板４は両側縁に下方折曲部４ａ，４ｂを形成し横断面コ字状に形成することにより、該下方折曲部４ａ，４ｂがストッパとして機能し、シャッタ板４を幅方向にずらして吸気口２を開閉させる際に該シャッタ板４が真空チャンバ１上から脱落するのを防ぐ。
【００１２】
なおこの実施例ではコンベヤベルト５を水平に張設した例を示したが、コンベヤベルトを垂直に張設したり傾斜状に設けることも可能である。また、上記実施例の天地を反対にした構成とすることにより、積み重ねられた披搬送物を上側のものから１枚ずつ搬出させるようにすることも可能である。
【産業上の利用可能性】
【００１３】
本発明の真空コンベヤは、実施例に示した段ボール紙の搬送に限らず、種々のシート状物を吸着，搬送するのに広く適用することができる。
【図面の簡単な説明】
【００１４】
【図１】本発明の実施例を示す真空コンベヤの要部の分解斜視図。
【図２】本発明の実施例を示す真空コンベヤの縦断面図。
【図３】本発明の実施例を示す真空コンベヤの平面図。
【図４】図３のＡ−Ａ線断面図。
【符号の説明】
【００１５】
１              真空チャンバ
２              吸気口
３            突提板
４            シャッタ板
４ａ，４ｂ    下方折曲部
４ｃ          開口
５            通気性コンベヤベルト
６            通気口
１０          披搬送物
【図１】
2005082318.tif 000003
【図２】
2005082318.tif 000004
【図３】
2005082318.tif 000005
【図４】
2005082318.tif 000006